(57)【要約】  少なくとも１つの接続開口（３，４）と、少なくとも１つの接続部分（６，８）とを備えた容器（１）であって、容器（１）と接続部分（６，８）とを結合するために、複数の溝（１２）および複数の係止部材（１０）が協働する結合要素として設けられており、結合状態では係止部材（１０）がそれぞれ、容器（１）の長手方向軸線（２’）に対して実質的に垂直に配置された、溝（１２）の受容部分（１４）内に配置されており、容器（１）と接続部分（６，８）とは、容器の長手方向軸線（２’）に対して斜めに延在する乗上げ面（９ｃ）を備えた複数の乗上げ部材（９ａ，９ｂ）を有しており、これらの乗上げ部材（９ａ，９ｂ）は、回動運動を介して容器（１）と接続部分（６，８）との間で協働し、これにより、各係止部材（１０）をそれぞれ各溝（１２）の受容部分（１４）から動かすことができるようになっており、所定の回動位置では容器（１）と接続部分（６，８）との間の係止結合が互いに解除される。
2018529430.tif 000002
【特許請求の範囲】
【請求項１】
少なくとも１つの接続開口（３，４）と、少なくとも１つの接続部分（６，８）とを備えた容器（１）であって、該容器（１）と前記接続部分（６，８）とを結合するために、複数の溝（１２）および複数の係止部材（１０）が協働する結合要素として設けられており、結合状態では前記係止部材（１０）がそれぞれ、前記容器（１）の長手方向軸線（２’）に対して実質的に垂直に配置された、前記溝（１２）の受容部分（１４）内に配置されている容器において、
前記容器（１）と前記接続部分（６，８）とは、前記容器の前記長手方向軸線（２’）に対して斜めに延在する乗上げ面（９ｃ）を備えた複数の乗上げ部材（９ａ，９ｂ）を有しており、これらの乗上げ部材（９ａ，９ｂ）は、回動運動を介して前記容器（１）と前記接続部分（６，８）との間で協働し、これにより、各前記係止部材（１０）をそれぞれ各前記溝（１２）の前記受容部分（１４）から動かすことができるようになっており、所定の回動位置では前記容器（１）と前記接続部分（６，８）との間の係止結合が互いに解除されていることを特徴とする、容器（１）。
【請求項２】
隣り合う前記各溝（１２）の間の部分または前記溝（１２）の終端部分（１３）に、前記長手方向軸線（２’）の方向での前記接続部分（６，８）と前記容器（１）との統合を阻止するガイド部材（１５）が設けられており、これにより、前記容器（１）の前記長手方向軸線（２’）の方向での前記接続部分（６，８）と前記容器（１）との統合に際しては、前記接続部分（６，８）と前記容器（１）とが互いに回動されるようになっている、請求項１記載の容器（１）。
【請求項３】
前記長手方向軸線（２’）の方向で前記接続部分（６，８）と前記容器（１）とを統合する際には、該接続部分（６，８）の乗上げ部材（９ｂ）が前記容器の前記ガイド部材（１５）と、互いに整合するように位置調整されると協働し、これにより、前記接続部分（６，８）と前記容器（１）とが互いに回動されるようになっている、請求項２記載の容器（１）。
【請求項４】
前記ガイド部材（１５）は、前記容器（１）の前記長手方向軸線（２’）に対して斜めに延在する少なくとも１つのガイドフランク（１７）を有している、請求項２または３記載の容器（１）。
【請求項５】
前記係止部材（１０）および／または前記溝（１２）の当接面（１１’，１２’）が、少なくとも部分的にアンダカットを有している、請求項１から４までのいずれか１項記載の容器（１）。
【請求項６】
前記各溝（１２）は、前記各溝の前記受容部分（１４）を、前記容器の開口領域のその他の外側表面と共に平らになっている２つの前記溝の間の部分に接続する傾斜面状の終端部分（１３）を有している、請求項１から５までのいずれか１項記載の容器（１）。
【請求項７】
前記係止部材（１０）は、ばね弾性的に支持されている、請求項１から６までのいずれか１項記載の容器（１）。
【請求項８】
前記各溝（１２）は、前記容器（１）の円筒状の周壁面の外面に配置されており、かつ前記各係止部材（１０）は、前記接続部分（６，８）の複数の壁部分（１９）の内面に配置されており、各前記壁部分（１９）の結合線は、弛緩状態において円形とは異なる延在部を有しており、前記各壁部分（１９）は弾性変形可能であり、これにより前記各係止部材（１０）はそれぞれ、ウェブ（１１）に被さるようにスナップ係合することができるようになっている、請求項１から７までのいずれか１項記載の容器（１）。
【請求項９】
前記接続部分（６，８）は、前記係止部材（１０）を支持する前記各壁部分（１９）とは別に、回転対称的な環状の壁（２０）を有している、請求項８記載の容器（１）。
【請求項１０】
前記協働する結合要素は、バヨネットロック形式の溝を有しており、前記各係止部材（１０）は、前記各溝（１２）に隣接する前記ウェブ（１１）を越えて、実質的に前記容器（１）の前記長手方向軸線（２’）の方向で閉鎖位置にスナップ係合可能であると共に、前記各溝（１２）から開口（１３’）を介して外すことができるようになっている、請求項１から９までのいずれか１項記載の容器（１）。
【請求項１１】
前記協働する結合要素は、スナップ結合に対して代替的に、差込み運動／回動運動によっても互いに結合可能であり、前記係止部材（１０）はそれぞれ、前記各溝（１２）の前記受容部分（１４）に前記開口（１３’）を介して導入することができるようになっている、請求項１０記載の容器（１）。
【請求項１２】
前記開口（１３’）はそれぞれ、前記係止部材（１０）の導入を阻止するストッパ（３５）を有している、請求項１０または１１記載の容器（１）。
【請求項１３】
前記ガイド部材（１５）は、前記容器（１）の前記長手方向軸線（２’）の方向に見て、好適には丸み付けられた尖端部（１５’）を有しており、該尖端部（１５’）の両側にはガイドフランク（１７）が続いており、一方のガイドフランク（１７）は、それぞれ前記溝（１２）に隣接する前記ウェブ（１１）に移行しており、かつ他方のガイドフランク（１７）は、それぞれ前記開口（１３’）に隣接して終わっている、請求項１０から１２までのいずれか１項記載の容器（１）。
【請求項１４】
前記係止部材（１０）は、好適には丸み付けられた尖端部（１０’）を備える実質的に三角形の形状を有しており、適当な回動方向で前記容器に前記接続部分（６，８）を近づけたときに、前記尖端部（１０’）は、前記ガイド部材（１５）の前記尖端部（１５’）に当たるようになっている、請求項１２または１３記載の容器（１）。
【請求項１５】
前記各溝（１２）は、前記開口（１３’）を起点として終端部分（１３ａ）を有しており、該終端部分（１３ａ）は、その内部に受容された前記係止部材（１０）が、前記容器（１）の前記長手方向軸線（２’）に直交する平面に対して斜めにガイドされるように延在していると共に、前記受容部分（１４）に移行しており、該受容部分（１４）は片側を、好適には前記容器（１）の前記長手方向軸線（２’）に直交する平面に沿って延在する前記ウェブ（１１）により画成される、請求項１０から１４までのいずれか１項記載の容器（１）。
【請求項１６】
前記溝（１２）を画成している前記ウェブ（１１）は、隣り合う前記溝（１２）の前記開口（１３’）に接する部分の、前記接続部分（６，８）が前記容器（１）に近づけられて結合される側に、凹部（１３’ ’）を有している、請求項１０から１５までのいずれか１項記載の容器（１）。
【請求項１７】
前記溝（１２）の前記終端部分（１３）と前記受容部分（１４）との間の移行領域に、それぞれ前記溝の長手方向延在部に対して横方向に延びる位置固定ウェブ（１６）が設けられている、請求項１から１６までのいずれか１項記載の容器（１）。
【請求項１８】
容器（１）として瓶本体（２）が設けられており、接続部分として瓶乳首（５）を取り付けるための被せキャップ（６）が設けられている、請求項１から１７までのいずれか１項記載の容器（１）。
【請求項１９】
前記瓶本体（２）は、互いに反対の側に位置する２つの接続開口（３，４）を有しており、上側の前記接続開口（３）には前記瓶乳首（５）が固定されるようになっており、底部側の前記接続開口（４）には、底部キャップ（８）として空気流入弁を備えて形成された接続部分が取り付けられるようになっている、請求項１８記載の容器（１）。
【請求項２０】
前記被せキャップ（６）の環状の蓋部分（３０）は、組み合わせた状態で前記容器（１）に面した下面側に、少なくとも１つの、好適には４つの部分に分割された、突出したウェブ（２９）を有している、請求項１８または１９記載の容器（１）。
【請求項２１】
請求項１から２０までのいずれか１項記載の容器（１）のための瓶乳首（５）であって、該瓶乳首（５）は、吸引開口とは反対の側の終端部分に、前記上側の接続開口（３）に接する前記容器（１）の外径よりも僅かに大きな内径を有する円筒形の部分（２５）を備えており、該円筒形の部分（２５）は端部側に、内向きに突出しているシールリップ（２７）を有していることを特徴とする、瓶乳首（５）。
【請求項２２】
前記円筒形の部分（２５）は、吸引開口に向かって上向きに突出していて周方向に延在する、好適には環状のウェブ（２８）を有している、請求項２１記載の瓶乳首（５）。
【請求項２３】
当該瓶乳首（５）は、前記吸引開口とは反対の側に位置するフランジ状の終端部分の、前記吸引開口に面した上面に、好適には前記容器の前記上側の接続開口の縁部に対応するように延在する溝状の凹部を有している、請求項２１または２２記載の瓶乳首（５）。
【請求項２４】
請求項１から２０までのいずれか１項記載の容器のための挿入部分（７）であって、当該挿入部分（７）は、外側の終端部分に、前記底部側の接続開口（４）に接する前記容器（１）の外径よりも僅かに大きな内径を有する円筒形の部分（２６）を備えており、該円筒形の部分（２６）は、端部側に内向きに突出しているシールリップ（２７）を有していることを特徴とする、挿入部分（７）。
【請求項２５】
当該挿入部分（７）は、底部側のフランジ状の終端部分の、使用中は接続部分（８）に面した下面に、好適には前記容器の下側の接続開口の縁部に対応するように延在する溝状の凹部を有している、請求項２４記載の挿入部分（７）。
【発明の詳細な説明】
【技術分野】
【０００１】
本発明は、少なくとも１つの接続開口と、少なくとも１つの接続部分とを備えた容器であって、容器と接続部分とを結合するために、複数の溝および複数の係止部材が協働する結合要素として設けられており、結合状態では、係止部材がそれぞれ、容器の長手方向軸線に対して実質的に垂直に延在する、溝の受容部分内に配置されている容器に関する。
【背景技術】
【０００２】
従来技術から既に基本的には周知の、上述した形式の容器では、例えば閉鎖キャップを、容器の軸線方向に加えられた長手方向運動を介してスナップ結合により取付け可能であるか、または代替的にバヨネット結合を介して取付け可能である。このような容器閉鎖手段は、特に国際公開第９４／１３５４７号において公知である。ただし、この場合に注意すべき点は、いずれの結合形式によって結合を生じさせるべきかに応じて、閉鎖キャップに対する容器ネックの向きを適宜に選択せねばならない点、すなわち、バヨネットロックを介した統合には、バヨネット舌片に挿入されるべき結合部材を、容器の長手方向に延在するバヨネット舌片の終端部分に整合するように位置調整することが必要とされている点である。他方で、スナップ結合を生じさせるには、係止突起が、バヨネットロックの長手方向溝の領域にも、この長手方向溝と、隣接するバヨネット舌片の横方向に延在する固定部分との間のストッパ領域にも配置されていないことが必要とされる。それというのも、上記の領域ではスナップ結合が不可能だからである。
【０００３】
さらに、米国特許出願公開第２０１２０２６１３７８号明細書からは、蓋による容器の閉鎖システムが公知である。この場合は、容器の環状のカラーが、互いに反対の側に位置する２つの一次係止部材と、それぞれ９０°だけずらされた２つの二次係止部材とを有している。一次係止部材は、バヨネットロックの形式で垂直部分と水平部分とを備えて形成されている。垂直部分に対して平行に、水平部分の傾斜した終端片に隣接して固定突起が設けられており、固定突起は、両部分よりも低くなっている。よって、この場合は必然的に、バヨネットロックを閉じるために差込み運動／回動運動が必要とされる。
【０００４】
欧州特許出願公開第２３６８８０９号明細書から公知の別の容器は、キャップ内に内側に向かって延在する複数のフランジを有しており、これらのフランジは、容器に形成された、外側に向かって突出する対応する複数のフランジにスナップ係合可能である。ただし、スナップ結合は、キャップのフランジがちょうど容器の各フランジ間の中間室内に配置されている場合には不可能である。この状態では、キャップは−バヨネットロックの閉鎖に相応して、回動によってしか、容器に取り付けることができない。
【０００５】
米国特許第４３８３６１９号明細書からはさらに、弾性的な内蓋と外蓋とを備えた薬容器が公知であり、この場合は、外蓋に設けられた複数の突起が、閉鎖状態では容器に相応して設けられたノッチに、バヨネットロックの形式で係合した状態になる。外蓋を開けるには、外蓋に設けられたカラーを内蓋に向かって押圧して内蓋を変形させる必要があり、これにより、突起をノッチから回動させることができる。
【０００６】
ほ乳瓶に関しては、特に国際公開第２００５／０４１８５１号から、上下の端部領域が開放されて形成されたほ乳瓶が公知である。この場合、下側の容器開口は、底部弁を形成する目的で底部キャップを取り付けるために設けられており、上側の容器開口は、自体公知の形式で被せキャップを用いて乳首を取り付けるために設けられている。このほ乳瓶は、基本的には申し分なく機能し、この場合は被せキャップの取付け用と、底部キャップの取付け用とに、それぞれ従来のねじ山付き結合手段が設けられている。よって、この場合は結合を生じさせる際に、その都度両手が必要となる、すなわち、母親は瓶周壁を保持する一方で、次いで瓶周壁に対して底部キャップまたは被せキャップの回動運動を実施せねばならない。
【発明の概要】
【発明が解決しようとする課題】
【０００７】
したがって、本発明の目的は、接続部分、特に底部キャップまたは被せキャップの特に取付け動作が簡単になる、特に片手操作が可能な、冒頭で述べた形式の容器を提供することにある。
【課題を解決するための手段】
【０００８】
この目的は、本発明に基づき、請求項１記載の本発明による特徴を備えた容器によって達成される。
【０００９】
本発明に基づき、容器と接続部分とは、容器の長手方向軸線に対して斜めに延在する乗上げ面を備えた複数の乗上げ部材を有しており、これらの乗上げ部材は、回動運動を介して容器と接続部分との間で協働し、これにより、各係止部材をそれぞれ溝の受容部分から動かすことができるようになっており、所定の回動位置では容器と接続部分との間の係止結合が互いに解除される。
【００１０】
つまり、本発明に基づき設けられた容器では、接続部分と容器とを、実質的に容器の長手方向軸線の方向で統合してスナップ結合または係止結合させることにより、一方の接続部分が得られる。すなわち、容器と接続部分との結合は、片手操作で可能である。これに対して、容器から接続部分を外すためには回動運動が必要とされ、協働する各乗上げ面を介して各係止部材がそれぞれ、各溝における係止位置から外され、これにより容器と接続部分とを互いに分離することができるようになっている。
【００１１】
容器と接続部分との間の回動方向とは関係無くスナップ結合を達成することができる、すなわち、スナップ結合による結合を生じさせることができるようにするために、両構成部材相互の特別な回動方向が存在していなくてもよいことを保証するために有利なのは、隣り合う各溝の間の部分または溝の終端部分に、長手方向軸線の方向での接続部分と容器との統合を阻止するガイド部材が設けられている場合であり、これにより、容器の長手方向軸線の方向での接続部分と容器との統合に際して、接続部分と容器とが互いに回動されるようになっている。
【００１２】
容器の長手方向軸線の方向での接続部分と容器との統合が、隣り合う各溝の間の部分または溝の開いた終端部分において可能であると考えられる限り（バヨネットロックの形式の溝が存在している限り）、片手操作の場合には、容器と接続部分とを互いに有効に結合させることなしに、長手方向での押しずらしが行われるにすぎない、ということが考えられる。このことを回避するために、溝に対して係止部材が相応に位置調整されている場合には、接続部分を長手方向に動かす際に、ガイド部材を介して回動を生じさせるようになっている。これにより、接続部分の係止部材が長手方向に見て、容器の長手方向軸線に対して実質的に横方向に延在する溝の受容部分の上側または下側に位置してから、スナップ結合により、容器と接続部分とが互いに確実に結合されるようになっている。
【００１３】
容器側には付加的な手段を全く設けずに済む構造的に簡単な構成に関して、容器の長手方向で容器と接続部分とを統合する際、すなわち差込み結合形式において、確実な係止結合が達成されないことを防ぐために有利なのは、長手方向軸線の方向で容器と接続部分とを統合する際に、接続部分の乗上げ部材が容器のガイド部材と、互いに整合するように位置調整されると協働し、これにより、接続部分と容器とが互いに回動されるようになっている場合である。
【００１４】
容器と接続部分とを統合する際にガイド部材が作用するようになっている場合に、容器と被せ嵌め部分との回動が確実に達成されるようにするためには、ガイド部材が、容器の長手方向軸線に対して斜めに延在する少なくとも１つのガイドフランクを有していると有利である。
【００１５】
さらに有利なのは、各係止部材および／または各溝の当接面が、少なくとも部分的にアンダカットを有している場合である。このようなアンダカットは、好適には係止部材が突出しているかまたは溝が突入している面に対する直角に対して約５°〜１５°の角度をとることができ、これにより、容器の長手方向軸線上で比較的大きな引張力が作用した場合でも、スナップ結合の望ましくない解除が確実に防止されるようになっている。
【００１６】
各溝が、各溝の受容部分を、容器の開口領域のその他の外側表面と共に平らになっている２つの溝の間の部分に接続する傾斜面状の終端部分を有していると、回動位置において各係止部材をそれぞれ、隣り合う各溝間の平らな部分に位置させることができ、これにより係止結合が解除され、接続部分と容器とを互いに簡単に分離させることができる。
【００１７】
同時に接続部分と容器との間の確実な結合を保証する、構造的に簡単な構成に関して有利なのは、係止部材がばね弾性的に支持されている場合である。
【００１８】
係止部材の十分な変形を可能にすると同時に、係止部材を介してスナップ係合状態で確実に容器との結合を生じさせるためには、各溝が、容器の円筒状の周壁面の外面に配置されており、かつ各係止部材が、接続部分の複数の壁部分の内面に配置されており、各壁部分の結合線は、弛緩状態において円形とは異なる延在部を有していると有利である。この場合、各壁部分は弾性変形可能であり、これにより各係止部材はそれぞれ、ウェブに被さるようにスナップ係合することができるようになっている。この場合、各係止部材を支持している各壁部分の円形とは異なる延在部、特に係止部材の数に相応するほぼ多角形の延在部、好適にはほぼ正方形の延在部に基づき、統合中に、各係止部材を支持している各壁部分が実質的に、各溝を支持している容器の円形に適合することが保証される。次いで各係止部材が各溝内に係止されてよく、このとき各壁部分はスナップ係合状態で緊張した状態になり、これにより、被せ嵌め部分と容器との間の確実な結合が保証される。
【００１９】
本発明の１つの実施例では、協働する各結合要素がバヨネットロック形式の溝を有しており、この場合、係止部材は、各溝に隣接するウェブを越えて、実質的に容器の長手方向軸線の方向で閉鎖位置にスナップ係合可能であると共に、各溝から開口を介して外すことができるようになっている。この構成では、好適にはバヨネットロック形式で形成された溝の終端部分がそれぞれ、乗上げ面を有しており、被せ嵌め部分と容器とを回動させると、係止部材が各溝の開口に向かって移動させられるようになっている。
【００２０】
ユーザが回動運動による慣用の方法で接続部分と容器とを結合することもできるようにするために有利なのは、協働する各結合要素が、スナップ結合に対して代替的に、差込み運動／回動運動によっても互いに結合可能な場合であり、この場合、係止部材はそれぞれ、各溝の受容部分に開口を介して導入可能である。ユーザが両手を使える限りは、慣用の形式の構成でも、周知のねじ山付き結合手段の場合と同様に、バヨネットロックの各溝への、すなわちまず長手方向での移動を生じさせる終端部分への係止部材の導入と、次の、実質的にポケット状に形成された受容部分の方向への回動とを経て、やはり容器と接続部分との間に確実な結合を生じさせることができるようになっている。容器と接続部分との間の結合の解除は、自体公知の形式での回動と、引き続く、バヨネットロックの溝からの実質的に長手方向での押しずらしとによって、簡単に可能である。接続部分としては特に、ほ乳瓶の被せキャップと同様に、ほ乳瓶の底部キャップも考慮される。
【００２１】
他方では、上述した手段に対して代替的に、単一の閉鎖態様、すなわちスナップ結合を介した閉鎖態様だけを提供することが所望される場合もある。この場合は、開口がそれぞれ、係止部材の導入を阻止するストッパを有していると有利である。ただし、接続部分と容器との間の結合を解除するためには、この態様においても、回動運動と、溝の各開口を介した係止部材の導出とが必要とされる。
【００２２】
ガイド部材が、容器の長手方向軸線の方向に見て、好適には丸み付けられた尖端部を有しており、尖端部の両側にはガイドフランクが続いており、一方のガイドフランクは、それぞれ溝に隣接するウェブに移行しており、かつ他方のガイドフランクは、それぞれ開口に隣接して終わっていると、接続部分と容器とが互いに位置調整されて、接続部分を長手方向に被せ嵌める際に、スナップ結合が確実に行われることが保証される。つまり、換言すると、片手操作の場合には、すなわち接続部分と容器との間に有効な結合を生じさせない、実質的に容器長手方向での運動では、バヨネット溝の終端部分への導入が確実に防がれるようになっている。
【００２３】
よって、１つの実施例におけるガイド部材は、好適には実質的に三角形の形状を有しており、これにより、係止部材が長手方向で容器に近づけられる限りは、係止部材が場合によっては尖端部に当接しひいては安定的な支持が達成されないようになっており、その結果、容器に対する接続部分の回動が、斜めに配置されたガイドフランクに沿って確実に達成されることになる。
【００２４】
接続部分と容器とを、容器の長手方向に統合する際の妨害を特に確実に回避するためにさらに有利なのは、係止部材が、好適には丸み付けられた尖端部を備える実質的に三角形の形状を有している場合であり、適当な回動方向で容器に接続部分を近づけたときに、丸み付けられた尖端部は、各ガイド部材の尖端部に当たるようになっている。同様に、三角形に形成された係止部材に基づき、係止部材の尖端部がガイド部材の尖端部に当たる確率が、より大面積の構成に比べて大幅に低下する。さらに、ガイド部材および係止部材それぞれの尖端部は両方とも、安定的な当接面を有していないので、長手方向に形成された開口から離反する方向での、容器および接続部材の確実な回動が保証される。
【００２５】
有利には、各溝は、開口を起点として終端部分を有しており、終端部分は、この終端部分内に受容された係止部材が、容器の長手方向軸線に直交する平面に対して斜めにガイドされるように延在していると共に、受容部分に移行しており、受容部分は片側を、好適には容器の長手方向軸線に直交する平面に沿って延在するウェブによって画成される。このように斜めにガイドされた終端部分を用いると、ユーザにとって閉鎖動作が簡単になる。なぜなら、容器と接続部分との間の有効な結合を確実に達成するために、特に従来のねじ山付き結合手段を備えたほ乳瓶のユーザが通常慣れているのと同様に、被せ嵌めてから回動運動させることだけが必要とされるに過ぎないからである。
【００２６】
有利には、疑似固定、すなわち２つの構成部材が上手く互いに結合されたという印象をユーザに与えるが、実際には緩く結合されているだけに過ぎない、容器と接続部分との間の結合のリスクは、溝を画成しているウェブが、隣り合う溝の開口に接する部分の、接続部分が容器に近づけられて結合される側に凹部を有していることにより、低下する。つまり、この凹部により、バヨネットロックの溝は、開口の領域に一種の受容ポケットを有することになり、この領域に係止部材を当接させようとする場合に、開口内への回動が阻止されるようになっている。この場合は、容器の長手方向にさらに力が加わることにより、係止が行われる。
【００２７】
開放回動に抗して係止部材を溝の受容部分内に位置固定するために有利なのは、溝の終端部分と受容部分との間の移行領域に、それぞれ溝の長手方向延在部に対して横方向に延びる位置固定ウェブが設けられている場合である。これにより、この位置固定ウェブを克服するために、増大した回動力を加えねばならなくなる。同時に、位置固定ウェブの克服により、ユーザは今や結合が解除されたということを明確に認識することができる。
【００２８】
容器として瓶本体が設けられており、接続部分として瓶乳首を取り付けるための被せキャップが設けられている場合には、これらの構成部材間に片手操作で確実かつ簡単に有効な結合を生じさせることができるようになっている。特にほ乳瓶のユーザは片手しか使えないことが多いため、本発明による構成は、特にほ乳瓶に関して極めて実用的なものである。
【００２９】
この場合、瓶乳首の取付けに関しても、底部弁の取付けに関しても、片手操作でほ乳瓶に対して結合を生じさせる手段が特に有利である、ということは明らかである。よって、瓶本体が、互いに反対の側に位置する２つの接続開口を有している場合、上側の接続開口には瓶乳首が、底部側の接続開口には、底部キャップとして空気流入弁を備えて形成された接続部分が取り付けられてよい。
【００３０】
スナップ結合またはバヨネット結合により乳首が被せキャップと瓶本体との間に確実に保持され、これにより瓶乳首が不都合にも結合部から引き出される危険が一切生じないことを保証するために有利なのは、被せキャップが環状の蓋部分の、組み合わせた状態で容器に面した下面側において、少なくとも１つの、好適には４つの部分に分割された、突出したウェブを有している場合である。つまり、このような突出したウェブ部分を介して、これらの突出したウェブ部分に背面係合する少なくとも１つの突出部を有する瓶乳首が、形状接続的な結合形式（形状による束縛、例えば係合）で確実に位置固定できるようになっている。
【００３１】
本発明はさらに、吸引開口とは反対の側の終端部分に、接続開口に接している容器の外径よりも僅かに大きな内径を有する円筒形の部分を備えており、円筒形の部分は端部側に、内向きに突出しているシールリップを有している、瓶乳首にも関する。このように突出しているシールリップにより、瓶本体と乳首との間のシールが確実に達成されることになり、この場合、シールリップは、瓶内部と周辺環境との間の圧力差が増大するとシール作用が高まるように形成されている。
【００３２】
さらに、瓶乳首と本発明による被せキャップとの協働に関して有利なのは、円筒形の部分が、吸引開口に向かって上向きに突出していて周方向に延在する、好適には環状のウェブを有している場合である。つまり、このような環状のウェブが、被せキャップの突出した環状のウェブまたはウェブ部分と形状接続的に協働することで、被せキャップと瓶本体との間の比較的小さな軸方向の（圧着）力でも、瓶乳首は瓶本体と被せキャップとの間に確実に保持されるようになっている。
【００３３】
瓶乳首が、吸引開口とは反対の側に位置するフランジ状の終端部分の、吸引開口に面した上面に、好適には容器の上側の接続開口の縁部に対応するように延在する溝状の凹部を有していると、この溝状の領域は、容器に接続部分をスナップ係合させる最中には簡単にばね弾性的に撓むことができ、その後は弛緩した出発状態に戻ろうとする。つまり、このばね弾性的な戻し力によって、接続部分は係止部材と共に、有利には上向きに、ウェブの好適にはアンダカットが形成された当接面に押し込まれ、これにより、接続部分と容器とが実質的に遊び無く互いに結合された状態になる。この場合、溝状の領域は、材料先細部または実質的に一定の壁厚さを有する材料変形部により形成されてよい。
【００３４】
さらに本発明は、本発明による容器のための挿入部分にも関する。この挿入部分は、外側の終端部分に、底部側の接続開口に接する容器の外径よりも僅かに大きな内径を有する円筒形の部分を備えており、円筒形の部分は、端部側に内向きに突出しているシールリップを有している。これにより、上述した瓶乳首に関連して同様に、底部弁の挿入部分と瓶本体との間にシールが得られ、このシールは、瓶本体の内部と周辺環境との間の圧力差が大きくなる程、高められたシール作用を発揮する。このようなシールリップは基本的に、例えば洗濯機窓に用いられるようなシール結合部から十分に知られている。
【００３５】
挿入部分が、底部側のフランジ状の終端部分の、使用中は接続部分に面した下面に、好適には容器の下側の接続開口の縁部に対応するように延在する溝状の凹部を有していると、この溝状の領域は、容器に接続部分をスナップ係合させる最中には簡単にばね弾性的に撓むことができ、その後は弛緩した出発状態に戻ろうとする。つまり、このばね弾性的な戻し力によって、容器はウェブの好適にはアンダカットが形成された当接面と共に上向きに押圧され、これにより、接続部分と容器とは実質的に遊び無く互いに結合された状態になる。この場合も、溝状の領域は、材料先細部または実質的に一定の壁厚さを有する材料変形部により形成されてよい。
【００３６】
以下に、本発明を好適な実施例に基づきさらに詳しく説明するが、本発明はこれらの実施例に限定されるものではない。
【図面の簡単な説明】
【００３７】
【図１】ほ乳瓶の形態の、本発明による容器の斜視図である。
【図１ａ】図１に示したＩａ−Ｉａ線に沿った断面図である。
【図２】容器として想定された、図１に示したほ乳瓶の瓶周壁を示す図である。
【図２ａ】図２に示したＩＩａ−ＩＩａ線に沿った断面図である。
【図３】図２ａに示した瓶周壁を下から見た斜視図である。
【図４】下側の接続部分を上から見た図である。
【図５】図４に示したＶ−Ｖ線に沿った断面図である。
【図６】図４に示した下側の接続部分を上から見た斜視図である。
【図７】図４に示した下側の接続部分を下から見た斜視図である。
【図８】上側の接続部分を下から見た図である。
【図８ａ】図８に示したＶＩＩＩａ−ＶＩＩＩａ線に沿った断面図である。
【図９】図８に示した上側の接続部分を上から見た斜視図である。
【図１０】図８に示した上側の接続部分を下から見た斜視図である。
【図１１】ほ乳瓶の形態の、本発明による容器の１つの代替的な実施例を示す図である。
【図１２】図１１に示したＸＩＩ−ＸＩＩ線に沿った断面図である。
【図１３】図１２に示した上側の瓶容器開口の領域を拡大して示す断面図である。
【図１４】図１２に示した下側の瓶開口の領域を拡大して示す断面図である。
【図１５】上下の容器開口を備えた瓶本体を示す図である。
【図１６】図１５に示した瓶本体の斜視図である。
【図１７】瓶乳首の斜視図である。
【図１８】底部弁の挿入部分の斜視図である。
【図１９】接続部分として想定された下側の底部キャップを上から見た図である。
【図２０】図１９に示した底部キャップの斜視図である。
【図２１】接続部分として想定された上側の被せキャップを下から見た図である。
【図２２】図２１に示した被せキャップを上から見た斜視図である。
【図２３】図２１に示した被せキャップの下面を示す斜視図である。
【図２４】本発明による容器の１つの代替的な実施例を示す図である。
【図２５】図２４に示した実施例の被せキャップの斜視図である。
【図２６】図２４に示した実施例の底部キャップの斜視図である。
【図２７】１つの代替的な実施例を示す図である。
【発明を実施するための形態】
【００３８】
図１に示す本発明による容器１は、周壁状の瓶本体２を備えており、瓶本体２は、図１ａから分かるように、上側の容器開口３と下側の容器開口４とを有している。上側の容器開口３には、接続部分として形成された被せキャップ６を介して瓶乳首５が取り付けられている。下側の容器開口４には弁挿入部分７が設けられており、弁挿入部分７は、下側の底部キャップ８を介して取り付けられている。さらにカバーキャップ６ａが認められ、カバーキャップ６ａは、特にほ乳瓶の不使用時には被せキャップ６にスナップ係合されており、このスナップ係合された状態で瓶乳首５の飲み口を密閉している。
【００３９】
図２、図２ａおよび図３には瓶本体２が詳細に示されており、特に明らかなのは、瓶本体２は、上側の接続開口３または下側の接続開口４に隣接する領域に、それぞれ複数の、図示の実施例では４つの溝１２を有している点である。これらの溝１２は、実質的に瓶本体２の長手方向軸線２’に対して垂直な長手方向延在平面内に延びている。これらの溝１２は、被せキャップ６と底部キャップ８のスカート内面に設けられた複数の係止部材１０（特に図６および図１０参照）を受容するために設けられている。
【００４０】
特に図１ａから分かるように、ばね弾性的に支持されるこれらの係止部材１０は、結合状態において溝１２内に受容され、これにより被せキャップ６と底部キャップ８とはそれぞれ、瓶本体２と係止結合された状態になる。この場合、係止部材１０または溝１２の当接面は、好適には約５°〜１５°の角度のアンダカットを有していてよく、これにより、容器１の長手方向に大きな引張力が作用した場合でも、係止結合の望ましくない解除を確実に防止することができるようになっている。
【００４１】
係止部材１０を、図１ａに示した結合状態から再び外すことができるようにするために、瓶本体２と接続部分６，８とはそれぞれ、乗上げ部材９ａ，９ｂを有している。
【００４２】
係止部材１０が各溝１２の受容部分１４内に受容されている係止位置に対して接続部分６，８を回動させると、係止部材１０は傾斜した乗上げ傾斜面１４ａを乗り越えて、溝１２の受容部分１４から移動し、次いで各乗上げ部材９ａ，９ｂの、互いに重なり合うように乗り上げる傾斜した乗上げ面９ｃを介して、瓶本体２の長手方向２’に互いに押しずらされ、これにより係止部材１０は、長手方向２’に見て、隣接する溝１２の上側または下側に配置された状態になる。この場合、長手方向２’に押しずらされる間、係止部材１０は２つの隣り合った溝１２の間の中間領域１２ａ内に位置しており、各中間領域１２ａでは、瓶本体２の表面は、隣接する瓶本体２の他の面と共に、実質的に平らになっている。
【００４３】
さらに、特に図２において明らかなのは、容器１がガイド部材１５を有している点である。ガイド部材１５は、長手方向に見て２つの溝１２の間の領域１２ａに配置されており、これにより、係止部材１０が溝１２にスナップ係合しない状態での瓶本体２の長手方向軸線２’の方向での嵌合わせは不可能になる。つまり、各係止部材１０が不都合にも、２つの隣り合う溝１２の間の領域１２ａにちょうど整合するように配置された場合には、乗上げ部材９ｂがそれぞれ、各ガイド部材１５の傾斜したガイドフランク１７に乗り上げ、これにより、容器１または瓶本体２と接続部分６，８とが互いに回動して、係止部材１０が溝１２内にスナップ係合するようになっている。
【００４４】
図４〜図１０においてさらに明らかなように、係止部材１０は、好適には接続部分６，８の周壁部分の実質的に回転対称的な円形延在部に比べて内側に突入した複数の壁部分１９に配置されており、これらの壁部分１９の仮想結合線は実質的に矩形を形成している。円形とは異なり、内側に突入しているこの形状に基づき、突入している各壁部分１９は係止部材１０と共に、スナップ係合に際して弾性変形する。つまり、スナップ係合した状態では、各壁部分１９は弾性変形したままであり、スナップ結合から外されて初めて、円形とは異なる弛緩状態に再び戻るようになっている。
【００４５】
図１１には、ほ乳瓶の形態の、本発明による容器１の１つの代替的な実施例が示されている。この場合も、このほ乳瓶１は瓶本体２を有しており、瓶本体２は、−特に図１２において明らかなように−上側の容器開口３と下側の容器開口４とを有している。上側の容器開口３にはやはり、被せキャップ６を介して瓶乳首５が取り付けられている。下側の容器開口４には、下側の底部キャップ８を介して弁挿入部分７が取り付けられている。
【００４６】
図１３および図１４には、特に容器２の接続部分として設けられた被せキャップ６または底部キャップ８が瓶本体２に結合された状態を詳細に示す拡大図が示されている。この場合に明らかなのは、被せキャップ６ならびに底部キャップ８は、それぞれ複数の係止部材１０を有している点である。これらの係止部材１０は、ばね弾性的に支持されており、かつ図１３および図１４に示した取付け状態では、それぞれ上側の瓶開口３または下側の瓶開口４の領域のウェブ１１に背面係合している。これにより、乳首５または弁挿入部分７が、被せキャップ６または底部キャップ８を介して瓶本体２と確実に結合されていることになる。係止部材１０とウェブ１１との間の係止部材１０および／またはウェブ１１の当接面１１’は、図示の溝１２の受容部分１４に、好適にはアンダカットを有している。このようなアンダカットは特に、係止部材またはウェブが突出している面に対する直角に対して約５〜１５°の角度をとることができ、これにより、容器の長手方向軸線上に大きな引張力が作用した場合でも、スナップ結合の不都合な解除が確実に防止されるようになっている。
【００４７】
特に図１５および図１６から明らかなように、瓶本体２は、上側の接続開口３に隣接した領域にも下側の接続開口４に隣接した領域にも、それぞれ複数の、図示の実施例では４つの、バヨネットロックの形式の溝１２を有している。各溝１２は、容器１の長手方向軸線２’に対する直交平面に対して斜めに延在する終端部分１３ならびに実質的に長手方向軸線２’に対する直交平面に沿って延在する受容部分１４を有している。
【００４８】
終端部分１３は開口１３’を有している。ただしこの場合、この開口１３’内への導入は、回動方向、すなわち瓶本体２の長手方向軸線２’に対して直交する方向でのみ可能である。長手方向軸線２’の方向での終端部分１３内への導入を確実に阻止するために、長手方向軸線２’の方向に見て上側または下側の、開口１３’に隣接した領域には、各１つのガイド部材１５が設けられている。
【００４９】
つまり、これらのガイド部材１５は、接続部分６，８を統合するときに、容器１の長手方向軸線２’の方向で係止部材１０が終端部分１３内に導入されることを阻止している。これにより、接続部分６，８と容器１とを統合する際に、長手方向軸線２’の方向で係止部材１０が溝１２の終端部分１３内には導入されないことが保証される。むしろ、接続部分６，８と容器２との間の回動方向は、係止部材１０とガイド部材１５とが統合時に長手方向２’で互いにぶつかり合って、容器２に対する接続部分６，８の回転方向を変化させるようになっている。このために、各ガイド部材１５はそれぞれ、丸み付けられた尖端部１５’の側方にガイドフランク１７を有しており、これらのガイドフランク１７は、各係止部材１０、より正確に言うと対応する当接フランク１８（図１９、図２０、図２１および図２３も参照）と協働する。つまり、係止部材１０は、斜めに配置されたガイドフランク１７に沿って滑動し、これにより接続部分６，８は、係止部材１０がそれぞれウェブ１１にぶつかるまで、容器または瓶本体２に対して回動することになる。次いで、係止部材１０は、ウェブ１１の上側または下側で、各溝１２の各受容部分１４にスナップ係合する。つまり、長手方向軸線２’の方向に続けて押圧力を加えると、係止部材１０はそのばね弾性的な支持に基づき旋回し、かつ各ウェブ１１の背面にスナップ係合するようになっている。溝１２の終端部分と受容部分との間の移行領域には、溝１２の長手方向延在部に対して横方向に延びる各１つの位置固定ウェブ１６が設けられており、位置固定ウェブ１６は、増大された回動力を加えなければ克服することはできない。つまり、ユーザは、位置固定ウェブ１６を克服することで、結合が解除されたことを認識することができる。
【００５０】
さらに図１６で分かるように、ウェブ１１は、隣接する溝の開口１３’に接した部分に凹部１３’’を有している。この凹部１３’’は、開口１３’の領域に一種の受容ポケットを形成しており、この領域に係止部材１０を当接させようとする場合に、開口１３’内への回動が阻止されるようになっている。つまりこの場合は、容器２の長手方向２’にさらに力を加えることで、スナップ結合による係止が行われる。
【００５１】
ばね弾性的な支持に関して、係止部材１０は、図１９〜図２３で分かるように、特に周壁１９において内側に突出するように配置されていてよい。
【００５２】
同じく図１９〜図２３で分かるように、内側の周壁１９は、残りの接続部分、すなわち被せキャップ６または底部キャップ８と一体的に形成されているが、この場合、内側の壁１９は、各接続部分の安定性を生じさせる外側の壁２０に比べて、大幅に小さな壁厚さを有している。接続部分を熱可塑性プラスチック、例えばポリプロピレン（ＰＰ）から製造した場合には、特に０．５ｍｍ〜３．５ｍｍの壁厚さが有利であるということが分かった。
【００５３】
つまり、この比較的小さな壁厚さに基づき、周壁全体が簡単に弾性変形可能である。付随するウェブ１１に対するスナップ係合を簡単に保証するために、周壁は、その弛緩状態では円形の延在部ではなく、円形とは異なる延在部を有しており、この延在部は、図示の実施例では実質的に丸み付けられた角隅部を有する正方形に相当する。これにより、係止部材１０が各ウェブ１１上を移動する場合、係止部材１０を支持している壁１９は実質的に円形状をとってから、引き続き、特に図１９または図２１において明らかな、円形とは異なる正方形に再び戻ることができるようになっている。これにより、各ウェブ１１と付随する係止部材１０との間の確実なスナップ係合が保証される。
【００５４】
係止部材１０の、このばね弾性的な支持形式に関する１つの代替的な実施例が、図２４に示されている。ここにもやはり、瓶本体２を有する容器１が示されており、瓶本体２には被せキャップ６と底部キャップ８とが接続部分として設けられている。
【００５５】
特に図２５および図２６で分かるように、比較的薄壁の弾性的な壁１９に対して代替的に、係止部材１０を外側の壁２０に形成することも可能であり、この実施例では、係止部材１０はそれぞれ、係止舌片２１の端部領域に配置されている。
【００５６】
これらの係止舌片２１は、外側の壁２０に形成された材料開口部または切抜き部２２により得られる。これによっても、図２４で分かるように、容器１を２つの接続部分６，８と結合することができ、接続部分６，８は、長手方向２’で生じたスナップ結合を介して、または差込み結合／回動結合に基づき、特に図１５および図１６において明らかな瓶本体２と結合されている。
【００５７】
図１７および図１８では、瓶乳首５と挿入部分７とが詳細に明らかになっており、これらは特に、被せキャップ６または底部キャップ８と共に使用するために形成されている。
【００５８】
この場合、瓶乳首５は円筒形の終端部分２５を有しており、特に図１３で分かるように、終端部分２５は、組立状態では瓶本体２の上側の容器開口３の領域の外径に比べて僅かに大きな内径を有している。
【００５９】
さらに図１７では、瓶乳首２５が取付けフランジ２５’’の上面に周溝２５’を有していることが明らかである。特に図１３で分かるように、溝２５’は上側の容器開口３の縁部と実質的に一致するように配置されている。つまり、接続部分６と容器２とを嵌め合わせると、乳首５は溝２５’の領域においてばね弾性的に撓み、これにより生じた予荷重により、図１３に示した結合状態で取付けフランジ２５’’または溝２５’を介して、ウェブ１１と係止部材１０の当接面１１’が互いに押し合わされることになり、結合状態で各当接面が確実に相接して当接するようになっている。
【００６０】
同じ効果は、下側の容器開口４の領域でも挿入部分７を介して得られる。このために、挿入部分７は、取付けフランジ２６’’の下面の領域に溝２６’（図１４参照）を有しており、溝２６’は、結合状態では下側の容器開口４の縁部と実質的に整合するように配置されている。つまり、挿入部分７が介在した状態で、接続部分８と容器２とを嵌め合わせると、挿入部分７は溝２６’の領域でばね弾性的に撓み、これにより生じた予荷重により、図１４に示した結合状態で取付けフランジ２６’’または溝２６’を介して、ウェブ１１と係止部材１０の当接面１１’が互いに押し合わされることになる。
【００６１】
図１３ではさらに、円筒形の部分２５がその下端部に、自由端部に向かって先細になる、内向きの環状のシールリップ２７を有していることが明らかであり、このシールリップ２７は、予荷重が加わると、瓶本体２の上側の終端部分の外側表面に密着する。よって、容器１の内部と外部環境との間の圧力差を高めようとする場合には、シールリップ２７が高められた圧着力でもって瓶本体２の外面に圧着され、これにより、容器１の内部と周辺圧力との間の圧力差に応じてシール作用が高まるようになっている。
【００６２】
さらに、円筒形の終端部分２５は、上方に向かって突出した環状のウェブ２８を有していることが分かる。この環状のウェブ２８は実質的に、被せキャップ６の蓋部分３０の下面に形成されたウェブまたはウェブ部分２９と協働するように設けられている。図２１または図２３で明らかなように、被せキャップ６の蓋部分３０の、下方に向かって突出した各ウェブ部分２９は、特に離型の目的で中断されている。図示の実施例では、実質的に円セグメント形の４つのウェブ部分２９が生じており、これらのウェブ部分２９は、乳首５において突出したウェブ２８に背面係合するようになっている。これにより、長手方向軸線２’の方向での被せキャップ６と容器２との間の圧着力が比較的小さい場合でも、容器２と被せキャップ６との間の結合状態における乳首５の望ましくない引抜きが不可能になっている。
【００６３】
図２１および図２３では、各ウェブ部分２９に隣接して、蓋部分３０の下面と内側の壁１９との間の移行領域に全周にわたって配分された、図示の実施例では３つの突起状の突出部３１が、４カ所に設けられている。これらの突出部３１は、瓶乳首５をセンタリングするため、すなわち、壁１９の円形とは異なる延在部にもかかわらず、乳首５を中心に確実に位置決めするために設けられている。図１９および図２０で分かるように、対応する突出部３１が、底部キャップ８にも、挿入部分７をセンタリングするためまたは正確に位置決めするために設けられている。
【００６４】
図１８に示した、底部キャップ８と共に空気流入弁を形成するための挿入部分７も、特に図１４で分かるように、やはり円筒形の終端部分２６を有しており、円筒形の終端部分２６は、瓶本体２の下側の容器開口４の領域の外面における内径よりも大きな内径を有している。終端部分２６は、瓶乳首５に相応して、内側に突出しており、自由端部に向かって先細になる環状のシールリップ２７を有しており、このシールリップ２７は、予荷重が加わると、瓶本体２の外面に密着する。つまり、既に瓶乳首５に関して説明したシール原理が生じることになる。
【００６５】
図１４ではさらに、挿入部分７がシールリップ３２も有していることが明らかであり、シールリップ３２は、容器２の内部に負圧が存在する場合に、空気の流入は可能にするが、液体の流出は防いでいる。図示の実施例では、シールリップ３２は、底部キャップ８の内側に突入した円蓋状の湾入部３３の上側の円環状の段部３４に当接している。段部３４における環状のシールリップ３２の図示の密着に対して代替的に、円蓋状の湾入部３３の外側の、底部キャップ８の下側の底部部分におけるリールリップの当接も可能であり、同様に底部キャップ８の円蓋状の湾入部３３の外面全体に対する密着も可能である。
【００６６】
図２７に示す代替的な実施例は、図１〜図１３に示した実施例に概ね相当するが、この実施例では、各溝１２の終端部分１３の開口１３’に、ストッパ３５が設けられている。つまり、この実施例では、ストッパ３５により、−上述した各実施例とは異なり−差込み結合／回動結合による接続部分６，８と容器１との結合は可能ではなくなっており、接続部分６，８と容器１との間の結合は、スナップ結合によってのみ可能になっている。ただし、結合解除はやはり、上述したように、回動運動を介して可能であり、この場合、各係止部材１０は開口１３’を介して各溝１２から外される。このときストッパ３５を克服せねばならないため、各係止部材１０の終端部分１３からの導出を容易にするためには、ストッパ３５が、溝１２に向けられた乗上げ傾斜面を有していると有利である。これに対して、ストッパ３５の別のフランクは、有利には溝底部に対して実質的に９０°の角度で配置されており、これにより、回動運動による望ましくない結合が阻止される。
【００６７】
次に、本発明を瓶容器、特にほ乳瓶との関連において説明する。もちろん、本発明による容器１または接続部分６，８の、確実なスナップ結合による固定手段は、例えば搾乳ポンプ等の別の容器、一般的な保存容器または搬送容器、または別の食品パッケージ等、ならびに容器全般に関しても使用可能である。
【図１】
2018529430.tif 000003
【図１ａ】
2018529430.tif 000004
【図２】
2018529430.tif 000005
【図２ａ】
2018529430.tif 000006
【図３】
2018529430.tif 000007
【図４】
2018529430.tif 000008
【図５】
2018529430.tif 000009
【図６】
2018529430.tif 000010
【図７】
2018529430.tif 000011
【図８】
2018529430.tif 000012
【図８ａ】
2018529430.tif 000013
【図９】
2018529430.tif 000014
【図１０】
2018529430.tif 000015
【図１１】
2018529430.tif 000016
【図１２】
2018529430.tif 000017
【図１３】
2018529430.tif 000018
【図１４】
2018529430.tif 000019
【図１５】
2018529430.tif 000020
【図１６】
2018529430.tif 000021
【図１７】
2018529430.tif 000022
【図１８】
2018529430.tif 000023
【図１９】
2018529430.tif 000024
【図２０】
2018529430.tif 000025
【図２１】
2018529430.tif 000026
【図２２】
2018529430.tif 000027
【図２３】
2018529430.tif 000028
【図２４】
2018529430.tif 000029
【図２５】
2018529430.tif 000030
【図２６】
2018529430.tif 000031
【図２７】
2018529430.tif 000032
【国際調査報告】
2018529430.tif 000033
2018529430.tif 000034
2018529430.tif 000035
2018529430.tif 000036
2018529430.tif 000037
2018529430.tif 000038
2018529430.tif 000039
2018529430.tif 000040